(57)【要約】本発明はソフトレンズ材料１１および硬質レンズ材料１２の両方を組み合わせた点でハイブリッドレンズである多焦点眼用レンズ１０を提供する。本発明のレンズは硬質レンズに比べて装用がより快適でありなおかつ円柱度数を加える必要なしに乱視を矯正する。
2006515689.tif 000002
【特許請求の範囲】
【請求項１】
眼用レンズであって、
（ａ）凸面および凹面を備え、前記凸面および前記凹面の一方が多焦点光学ゾーンを有する、ソフトレンズ材料を含む第１の要素と、
（ｂ）前記ソフトレンズ材料内に完全に収容されているハードレンズ材料を含む第２の要素と、
を有する、レンズ。
【請求項２】
前記レンズがコンタクトレンズである、請求項１記載のレンズ。
【請求項３】
前記コンタクトレンズの厚みが約０．１００ｍｍから約０．３００ｍｍまでの範囲内にあり、前記第２の要素が前記レンズの前記厚み全体の約１２％から約５０％の範囲内の厚みを有する、請求項２記載のレンズ。
【請求項４】
前記多焦点光学ゾーンが、交互に配置された遠用度数および近用度数の同心の環状リングを含む、請求項２記載のレンズ。
【請求項５】
前記多焦点光学ゾーンが、交互に配置された遠用度数、近用度数、および中間度数の同心の環状リングを含む、請求項２記載のレンズ。
【請求項６】
前記多焦点光学ゾーンが累進度数ゾーンを含む、請求項２記載のレンズ。
【請求項７】
眼用レンズであって、
（ａ）凸面および凹面を備え、前記凸面および前記凹面の一方が単焦点光学ゾーンを有する、ソフトレンズ材料を含む第１の要素と、
（ｂ）凸面および凹面を備え、前記凸面および前記凹面の一方が多焦点光学ゾーンを有し、前記ソフトレンズ材料内に完全に収容されているハードレンズ材料を含む第２の要素と、
を有する、レンズ。
【請求項８】
前記レンズがコンタクトレンズである、請求項７記載のレンズ。
【請求項９】
前記コンタクトレンズの厚みが約０．１００ｍｍから約０．３００ｍｍまでの範囲内にあり、前記第２の要素が前記レンズの前記厚み全体の約１２％から約５０％の範囲内の厚みを有する、請求項８記載のレンズ。
【請求項１０】
前記多焦点光学ゾーンが、交互に配置された遠用度数および近用度数の同心の環状リングを含む、請求項８記載のレンズ。
【請求項１１】
前記多焦点光学ゾーンが、交互に配置された遠用度数、近用度数、および中間度数の同心の環状リングを含む、請求項８記載のレンズ。
【請求項１２】
前記多焦点光学ゾーンが累進度数ゾーンを含む、請求項８記載のレンズ。
【発明の詳細な説明】
【技術分野】
【０００１】
本発明は多焦点眼用レンズに関する。より詳しく言うと、本発明はコンタクトレンズにハード材料およびソフト材料の両方を用いて老視および角膜乱視を矯正するコンタクトレンズに関する。
【背景技術】
【０００２】
人は年齢を重ねるにつれて、眼は観察者に比較的近い目標物に焦点を合わせるために生まれつきの水晶体を調節するすなわち曲げることができにくくなる。この症状は老視として知られている。同様に、生まれつきの水晶体が取り除かれてその代わりに眼内レンズが挿入された人でも、調節する能力が失われる。調節できない眼を矯正するために用いられる方法のひとつは複数の屈折力を備えたレンズを用いる方法である。より詳しく言うと、遠用度数、近用度数、および中間度数のゾーンが設けられたコンタクトレンズおよび眼内レンズが開発されてきた。
【０００３】
さらに、乱視を矯正するためにひとつのレンズで多焦点の度数と円柱度数を組み合わせる必要がある場合が多い。多焦点レンズに円柱度数を加えることはレンズ製造業者が製造しなければならない在庫品保持ユニット（stock keeping unit：ＳＫＵ）の個数を劇的に増加する。さらに円柱度数は有効であるためには眼に装着されている間にレンズが特定の姿勢に保持されることを必要とし、それがレンズの設計をさらに複雑にしている。
【０００４】
硬質材料で作られたコンタクトレンズは円柱度数を加えずにコンタクトレンズおよび角膜の表面の間に形成された涙の層によって角膜乱視を矯正する。硬質材料で作られたレンズはコンタクトレンズの背面および角膜の表面の間の涙の膜を形成することによって角膜乱視を矯正するので、姿勢の維持は硬質材料で作られたレンズでは問題とはならない。硬質レンズはソフト材料から作られたレンズに比べて眼に装着したときに快適ではないことが課題である。しかし、ソフトコンタクトレンズは角膜の表面を包みすなわち角膜の表面の形状に沿うので、角膜乱視の矯正が不適切になる。さらに、ソフトコンタクトレンズでは眼に装着されたレンズを固定する必要がある。
【発明を実施するための最良の形態】
【０００５】
本発明は装用者の老視を矯正し乱視を矯正する多焦点眼用レンズおよびその製造方法を提供する。本発明のレンズはソフトレンズ材料および硬質レンズ材料の両方を組み合わせた点でハイブリッドであり、硬質レンズに比べて装用がより快適である点、およびソフトコンタクトレンズに比べてより良好に乱視を矯正する点で有益である。さらに、本発明のレンズは硬質部分がレンズに円柱度数を加える必要なく乱視を矯正するので、屈折力の処方の品揃えをカバーするために低減された数のＳＫＵを用いて製造できる。
【０００６】
ある実施の形態では、本発明は（ａ）凸面および凹面を備え、同凸面および同凹面のいずれかが多焦点光学ゾーンを有するソフトレンズ材料を含む第１の要素と、（ｂ）ソフトレンズ材料内に完全に収容されたハードレンズ材料を含む第２の要素とを有する眼用レンズを提供する。別の実施の形態では、本発明は（ａ）凸面および凹面を備え、同凸面および同凹面の少なくとも一方が単焦点光学ゾーンを有するソフトレンズ材料を含む第１の要素と、（ｂ）ソフトレンズ材料内に完全に収容され、凸面および凹面を備え、同凸面および同凹面のいずれかが多焦点光学ゾーンを有するハードレンズ材料を含む第２の要素とを有する眼用レンズを提供する。
【０００７】
「眼用レンズ」は、コンタクトレンズ、眼内レンズ、角膜植え込みレンズ、上のせレンズ（onlay lens）、それらの類似物、およびそれらの組み合わせを意味している。好ましくは、本発明のレンズはコンタクトレンズである。「完全に収容された」はハードレンズ材料部分の全体がソフトレンズ材料部分に包まれていてハードレンズ材料部分の表面が露出されていないことを意味する。
【０００８】
ハードレンズ材料で作られたレンズの部分は、眼用レンズを形成するのに適していて、ソフトレンズ材料で作られた部分と組み合わされて角膜乱視を打ち消すことができるいずれかの材料で作られていることもある。したがって、硬質部分はハードレンズ材料部分とソフトレンズ材料部分を組み合わせて形成されるレンズの後面が角膜表面の形状に実質的に沿わないように十分硬くなければならない。好ましくは、ハードレンズ材料は約１５，５１０，０００トル（３００，０００ｐｓｉ）以上の弾性率を有している。さらに、ハードレンズ材料はレンズのソフトレンズ材料の部分に用いられる材料と適合していなければならず、すなわちハードレンズ材料はソフトレンズ材料と組み合わされたときにソフトレンズ材料の化学的特性を変えてはならない。さらに、ソフトレンズ材料はハードレンズ材料で形成された硬質部分と接着されなければならない。したがって、硬質部分の界面エネルギーが適正に接着されるのに低すぎる場合には、硬質部分の表面が例えばプラズマまたはコロナ放電処理によって望ましい界面エネルギーを得るように処理されることもある。
【０００９】
本発明に用いられるハードレンズ材料は公知の技術である。例示的な材料には、以下に限定されないが、シロキサンポリマー、ポリメチルメタクリレートのようなアクリル酸塩、セルロース系ポリマー、炭酸塩、シリコーンアクリレート、フルオロアクリレート、過フロオロポリエーテル、アルキル置換アセチレン、それらの類似物、およびそれらのコポリマーなどがある。代わりに、硬質部分は硬質部分が埋め込まれているレンズを形成するのに用いられる材料よりも高い弾性率を有するソフトコンタクトレンズ材料で作られていることもある。
【００１０】
硬質部分は望まれるどのような形状であってもよいが、好ましくはレンズのソフト部分と同じ形状を実質的に有する。より好ましくは、硬質部分は実質的に円形の形状を有し約８ｍｍおよび１０ｍｍの間の直径を有する。硬質部分の厚みはレンズ全体の厚みの約１２％から約５０％までであり、レンズ全体の厚みは好ましくは約０．１００ｍｍから約０．３００ｍｍまでである。硬質部分は以下に限定されないが射出成形、圧印加工、旋盤加工、流し込み成形、およびそれらに類似の方法などの任意の公知の方法で製造されることもある。
【００１１】
レンズのソフト部分を形成するために用いられる材料は、ハードレンズ材料と組み合わされたときに、ハードレンズ材料の化学的特性を変えないものでなければならない。さらに、ソフトレンズ材料の物質的な収縮要因および膨張要因はソフト部分および硬質部分の剥離または分離が防止されるようなものでなければならない。好ましくは、ソフトレンズ材料は水和せず硬化していない状態に比較して完全に水和した状態での材料の収縮または膨張が実質的に約１％未満であることを意味する１単位の膨張率を有する。当業者には１単位の膨張率は１単位の膨張要因を得るのに適した量の適切な希釈剤でレンズ材料を調製することによって達成されることが分かるであろう。例えば、ソフトレンズ材料の水分含有量が４０パーセントの場合、約３５パーセントから約４５パーセントまでの希釈が行われるであろう。使用される希釈剤の量はその架橋のレベルおよび比重に基づいて選択されることも分かるであろう。レンズのソフトレンズ材料部分を製造するのに用いられる適切な材料には、以下に限定されないが、２−ヒドロキシエチルメタクリレート、そのポリマーおよびコポリマー、フルオロポリマー、およびそれらの類似物などがある。好ましくは、ソフトレンズ材料は約１，５５１トル（３０ｐｓｉ）から１０，３４０トル（２００ｐｓｉ）までの弾性率を有する。
【００１２】
本発明のレンズは以下に限定されないがハードレンズ材料部分をソフトレンズ材料に埋め込む方法、選択的な硬化を用いる方法、ハードレンズ材料部分をソフトレンズ材料部分に移植する方法、それらに類似した方法、およびそれらを組み合わせた方法などのさまざまな任意の方法を用いて製造されることもある。その構造（ハードレンズ材料部分）は任意の好都合な方法によってレンズ材料内に導入されることもある。例えば、ハードレンズ材料部分が最初に形成され、次にその構造（ハードレンズ材料部分）がコンタクトレンズ成形半型内に挿入され、次にそのコンタクトレンズ成形半型にソフトレンズ材料が供給され、次にもうひとつの成形半型を導入して、成形型アセンブリを硬化させることによって、ハードレンズ材料がソフトレンズ材料で包まれる。別の例として、ソフトレンズ材料が成形半型に供給されて部分的に硬化させられ、次にハードレンズ材料部分が部分的に硬化したソフトレンズ材料の上に載せられ、ソフトレンズ材料がさらに供給され、第２の成形半型が導入され、成形型アセンブリが硬化させられることもある。
【００１３】
好ましくは、流し込み成形が用いられて、硬化していないソフトレンズ材料の一部が成形半型内に配置され、次に予め成形されたすなわち流し込み成形されたハードレンズ材料部分が成形半型に配置される。次に、ソフトレンズ材料は、残りのソフトレンズ材料が加えられて硬化される前に部分的に硬化させられることもある。代わりに、残りの硬化していないソフトレンズ材料が成形半型に配置されてソフトレンズ材料が硬化させられることもある。ソフトレンズ材料の硬化は選択された材料に適した条件を用いて実行される。
【００１４】
ハードレンズ材料部分はレンズの光学ゾーン内に実質的に位置するように制御されて配置されなければならない。ハードレンズ材料部分は以下に限定されないが精密モーター装置、真空チャック、およびそれらの類似物などの任意の適切な方法を用いて配置されることもある。そのような装置およびチャックは市販されているものが利用できる。
【００１５】
レンズのソフトレンズ材料部分の少なくとも一方の表面、好ましくは前面が、多焦点光学ゾーンを有する。多焦点光学ゾーンは好ましくは遠用度数および近用度数の交互に配置されたゾーンを有し、より好ましくは遠用度数、近用度数、および中間度数の交互に配置されたゾーンを有する。「遠用度数」および「近用度数」は各々装用者の遠くを見る視力を矯正するのに必要な度数および装用者の近くを見る視力を矯正するのに必要な度数を意味する。中間度数は遠用度数および近用度数の間の度数である。より好ましい実施の形態では、球面または非球面の３個以上のより好ましくは３個から５個までの同心の環状ゾーンが設けられている。それらのゾーンは回折性、複屈折、半径方向で対称、半径方向で非対称、それらに類似した特徴、およびそれらを組み合わせた特徴のうちの任意のひとつから選択されていることもある。
【００１６】
別の変形例では、多焦点ゾーンは、最も内側の点のゾーンが近用度数を提供し、半径方向に光学ゾーンの周縁部に向かうに従って、近用度数から中間度数を経て遠用度数へ度数が連続的にかつ累進的に変化する累進度数のゾーン、すなわち累進度数ゾーンであることもある。さらに別の変形例では、多焦点ゾーンは最も内側の点のゾーンで遠用度数を提供し、半径方向に光学ゾーンの周縁部に向かうに従って遠用度数から中間度数を経て近用度数へ連続的にかつ累進的に変化する累進度数ゾーンであることもある。
【００１７】
多焦点光学ゾーンがレンズのソフトレンズ材料部分の表面に設けられている実施の形態では、ハードレンズ材料部分の表面は球面または非球面である。ハードレンズ材料とソフトレンズ材料の屈折率が異なる場合、ハードレンズ材料を追加することによって屈折度数が導入されることになる。好ましくは、ハードレンズ材料およびソフトレンズ材料は実質的に同じ屈折率を有し、または、ハードレンズ材料およびソフトレンズ材料の屈折率の差は０．５未満である。好ましくは、硬質材料はやや凹状の後面すなわち眼に最も近い表面を有し、前面は凸状である。好ましくは、硬質部分はレンズによって提供される視力の矯正には寄与しない。代わりに、レンズの硬質部分の少なくとも一方の表面は多焦点光学ゾーンを有する。その実施の形態では、ソフト部分の前面および後面は好ましくは単焦点の表面である球面または非球面である。
【００１８】
本発明のレンズを設計する場合、眼用レンズを設計するための任意の公知の方法が用いられることもある。例えば、本発明のレンズは多表面光線トレース法（multisurface ray-tracing）を用いて設計されることもある。
【００１９】
図１は本発明のレンズ１０の拡大断面図である。レンズ１０のソフトレンズ材料部分１１の内側にはハードレンズ材料部分１２が入っている。ソフトレンズ材料部分の前面１３は多焦点の表面である。ハードレンズ材料部分の前面１４および後面１６は単焦点の表面の湾曲した表面である。ハードレンズ材料１２は十分に硬質で、レンズ１０が眼に装着されているときレンズの後面１５が角膜を包まずに後面１５と角膜（図示せず）との間に涙のレンズ層（図示せず）が形成されるようになっている。
【図面の簡単な説明】
【００２０】
【図１】本発明のレンズの拡大断面図である。
【図１】
2006515689.tif 000003
【国際調査報告】
2006515689.tif 000004
2006515689.tif 000005